(57)【要約】　　　（修正有）【課題】金具から取り外さなくても簾を仕舞うことができ、かつアーム１２も曲がり難い簾掛け金具を提供すること。【解決手段】巻き上げた簾３０を付属品として備えた紐１５を簾掛け用フック１３と紐掛け用フック１４に掛け渡して吊り下げ保持する。簾を使わないとき一々簾３０を外さなくても仕舞うことができ、使い勝手が良い。紐掛け用フック１４をベース部分１１に設けることで、アーム１２の強度低下を来さないようにする。両側板１６，１７のうち外側の側板１７と底板１８の一部分を連続的に切り離し、内側の側板１６から垂設するように折り曲げて紐用フック１４を成形することで、紐掛け用フック１４のプレス成形を可能にし、製造コストを低くする。【選択図】　図１
0003096943.tif 000002
【実用新案登録請求の範囲】
【請求項１】
２枚の側板の下端部を底板で連結して上に開いた溝形状を有するベース部分と、前記側板に形成したネジ穴に取り付けた止めネジと、一方の側板の上端中央部から延伸したアームと、このアームの先端部に垂設した簾掛け用フックとを備え、サッシ枠にベース部分をはめ込み、止めネジでベース部分をサッシ枠に固定し、簾掛け用フックに簾を吊り下げるように構成した簾掛け金具であって、両端に環を形成した紐を付属品として備えるとともに、前記ベース部分に紐掛け用フックを垂設し、巻き上げた簾を前記簾掛け用フックと前記紐掛け用フックに掛け渡した紐で吊り下げ保持するようにしたことを特徴とする簾掛け金具。
【請求項２】
前記両側板のうち他方の側板と底板の一部分を連続的に切り離し、前記一方の側板から垂設するように折り曲げて前記紐用フックを成形したことを特徴とする請求項１に記載の簾掛け金具。
【考案の詳細な説明】
【０００１】
【考案の属する技術分野】
本発明は、簾掛け金具に関する。
【０００２】
【従来の技術】
簾掛け金具の一形式として、特開２００２−１７５５６号公報には、２枚の側板の下端部を底板で連結して上に開いた溝形状を有するベース部分と、前記側板に組み付けた締め付け手段と、一方の側板の上端中央部から延伸したアームと、このアームの先端部と基端部にぞぞれ垂設した第１、第２簾掛け用フックとを備え、サッシ枠にベース部分をはめ込み、締め付け手段でベース部分をサッシ枠に固定し、窓から遠い位置に簾を吊り下げるときは第１簾掛け用フックに簾を掛け、窓に近い位置で簾を吊り下げるときは第２簾用フックに簾を掛けるように構成した簾掛け金具が開示されている。
【０００３】
【考案が解決しようとする課題】
従来の簾掛け金具は、簾を使わないとき一々金具から取り外さなければならず、使い勝手が悪い。また、アームの中間部を切り離し、折り曲げて第２簾掛け用フックを形成しているので、アームの強度が低く、アームが曲がり易い。
本考案はかかる点に鑑み、金具から取り外さなくても簾を仕舞うことができ、かつアームも曲がり難い簾掛け金具を提供することを目的とする。
【０００４】
【課題を解決するための手段】
上記目的を達成するため本考案は、２枚の側板の下端部を底板で連結して上に開いた溝形状を有するベース部分と、前記側板に形成したネジ穴に取り付けた止めネジと、一方の側板の上端中央部から延伸したアームと、このアームの先端部に垂設した簾掛け用フックとを備え、サッシ枠にベース部分をはめ込み、止めネジでベース部分をサッシ枠に固定し、簾掛け用フックに簾を吊り下げるように構成した簾掛け金具であって、両端に環を形成した紐を付属品として備えるとともに、前記ベース部分に紐掛け用フックを垂設し、巻き上げた簾を前記簾掛け用フックと前記紐掛け用フックに掛け渡した紐で吊り下げ保持するようにしたことを特徴とする。
そして、好ましくは前記両側板のうち他方の側板と底板の一部分を連続的に切り離し、前記一方の側板から垂設するように折り曲げて前記紐用フックを成形する。
【０００５】
【考案の作用・効果】
本考案によれば、巻き上げた簾を付属品として備えた紐で吊り下げ保持できるので、簾を使わないとき一々簾を外さなくても仕舞うことができ、使い勝手が良い。
紐掛け用フックをベース部分に設けたので、アームの強度低下を来さず、アームが曲がり難くなる。
両側板のうち他方の側板と底板の一部分を連続的に切り離し、前記一方の側板から垂設するように折り曲げて前記紐用フックを成形するので、紐掛け用フックのプレス成形が可能となり、製造コストを低くできる。
【０００６】
【考案の実施の形態】
以下に本考案を図面に基づき説明するに、図１〜図３には本考案の一実施形態に係る簾掛け金具１０が示されている。当該簾掛け金具１０はプレス成形品であって、ベース部分１１、アーム１２、簾掛け用フック１３及び紐掛け用フック１４から成り、付属品として紐１５を備え、紐１５の両端は環１５ａに形成されている。
【０００７】
ベース部分１１は内側と外側の２枚の側板１６，１７の下端部を底板１８で連結して上に開いた溝形状に成形されている。両側板１６，１７にはドリルを外側の側板１７から内側の側板１６まで貫通させることにより、左右２個のネジ穴１９が形成されている。そして、内側の側板１６のネジ穴１９に摘み付きの止めネジ２０が嵌め込まれ、軟質プラスチック製の板パッド２１がこの止めネジ２０の先端を外側の側板１７に押し付けることでベース部分１１に装着されている。
【０００８】
アーム１２は内側の側板１６の上端中央部から直角に曲がって延伸し、その先端部に簾掛け用フック１３が垂設されている。アーム１２の中央部にはリブ１２ａが形成され、アーム１２の長手方向に延びている。簾掛け用フック１３はＵ字形に曲がり、フック１３の中央部にもリブ１３ａが形成されている。
【０００９】
紐掛け用フック１４は内側の側板１６の中央部下端に垂設されている。この紐掛け用フック１４は、図２及び図３に示すように外側の側板１７と底板１８の一部分を連続的に切り離して、切欠部１１ａを形成し、切り離し部分をＵ字形に折り曲げて形成されている。簾掛け用フック１３は簾３０の枠３１を掛けることができる大きさにその寸法が定められているのに対し、紐掛け用フック１４は紐１５の環１５ａが掛けられる程度の大きさで簾掛け用フック１３より小さい。
【００１０】
本実施形態に係る簾掛け用フック１１０の構造は以上の通りであって、図１に示すように外側の側板１７と板パッド２１でサッシ枠４０を挟み、止めネジ２０で板パッド２１をサッシ枠４０に押し付けて金具１０をサッシ枠４０に固定し、簾３０の上枠３１を簾掛け用フック１３に掛け止めして簾３０を吊り下げる。その際、付属品の紐１５は金具１０と別に保管すると無くし易いので、簾掛け用フック１３に引っ掛けておくと良い。簾３０を仕舞うには、図４に示すように簾３０を巻き上げ、紐１５の他端１５ａを紐掛け用フック１３に掛けて、両フック１３，１４間に掛け渡す。こうすることにより簾３０は巻き上げた状態で簾掛け金具１０に吊り下げて保持される。
【００１１】
本実施形態に係る簾掛け金具１０は、巻き上げた簾３０を付属品として備えた紐１５で吊り下げ保持できるので、簾３０を使わないとき一々簾３０を外さなくても仕舞うことができ、使い勝手が良い。
紐掛け用フック１４をベース部分１１に設けたので、アーム１２の強度低下を来さず、アーム１２が曲がり難い。
両側板１６，１７のうち外側の側板１７と底板１８の一部分を連続的に切り離し、内側の側板１６から垂設するように折り曲げて紐用フック１４を成形するので、紐掛け用フック１４のプレス成形が可能となり、製造コストを低くできる。
さらに、軟質プラスチック製の板パッド２１と外側の側板１７でサッシ枠４０を挟み、止めネジ２０で板パッド２１をサッシ枠４０に押し付けて金具１０を固定するので、サッシ枠４０を傷付けない。
【図面の簡単な説明】
【図１】本考案の一実施形態に係る簾掛け金具と吊り下げた簾及びサッシ枠を示す斜視図である。
【図２】同簾掛け金具を示す縦断断面図である。
【図３】同簾掛け金具を示す背面図である。
【図４】同簾掛け金具と巻き上げた簾及びサッシ枠を示す斜視図である。
【符号の説明】
１０…簾掛け金具、１１…ベース部分、１２…アーム、１３…簾掛け用フック、１４…紐掛け用フック、１５…紐、１６，１７…側板、３０…簾、４０…サッシ枠。
【図１】
0003096943.tif 000003
【図２】
0003096943.tif 000004
【図３】
0003096943.tif 000005
【図４】
0003096943.tif 000006